(57)【特許請求の範囲】
【請求項１】
被検体に挿入される挿入部と、
この挿入部に着脱可能に取り付けられる光学アダプタと、
を備える内視鏡装置において、
前記光学アダプタに設けられ、前記被検体に照明光を照射する照明部と、
前記照明部に電力を供給するための挿入部側電極端子と前記挿入部側電極端子に接続されるアダプタ側電極端子とを囲うように、前記光学アダプタと前記挿入部のいずれか一方に設けられ、前記光学アダプタに前記挿入部の先端が取り付けられるときに、前記挿入部の先端によって加圧されて弾性変形し、前記光学アダプタ側の面および前記挿入部側の面を復元力により付勢する弾性部材と、
を備えることを特徴とする内視鏡装置。
【請求項２】
前記光学アダプタ側の面は、前記光学アダプタの内周面であり、
前記挿入部側の面は、前記挿入部の先端の外周面であり、
前記弾性部材が、前記光学アダプタの内周面に接し径方向に弾性変形する接触リングであって、
前記挿入部の先端の外周面と前記接触リングの内周面とに、それぞれ先端径が漸次小さくなる傾斜部が設けられており、
前記光学アダプタが前記挿入部に取り付けられると、前記挿入部の先端が前記接触リングに挿入されるようになっており、前記接触リングが弾性変形することにより前記傾斜部同士が密着することを特徴とする請求項１に記載の内視鏡装置。
【請求項３】
前記弾性部材が、前記挿入部の先端部に設けられて前記先端部を覆う先端キャップであって、
前記先端キャップの厚さ寸法が、前記光学アダプタと前記挿入部との間のギャップ寸法以上に設定されていることを特徴とする請求項１に記載の内視鏡装置。
【請求項４】
前記弾性部材が、前記挿入部の先端面または前記光学アダプタの後端面に設けられた端面接触部であって、
前記端面接触部の厚さ寸法が、前記光学アダプタと前記挿入部との間のギャップ寸法以上に設定されていることを特徴とする請求項１に記載の内視鏡装置。
【請求項５】
前記弾性部材は、シリコン又は樹脂からなることを特徴とする請求項１に記載の内視鏡装置。
【発明の詳細な説明】
【技術分野】
【０００１】
本発明は、被検体を観察するための内視鏡装置に関するものである。
【背景技術】
【０００２】
近年、医療分野や工業分野などの様々な分野において、被検体に挿入される挿入部と、この挿入部に着脱可能に取り付けられる光学アダプタと、を備える内視鏡装置が利用されている（例えば、特許文献１参照。）。その挿入部の先端には、先端硬質部が設けられ、先端硬質部の外周面には雄ネジ部が形成されている。また、光学アダプタは、金属製の接続筒部を備えており、接続筒部の内周面には、雌ネジ部が形成されている。そして、それら雄ネジ部と雌ネジ部とを螺合させることにより、光学アダプタが挿入部に取り付けられるようになっている。これら挿入部または光学アダプタのいずれか一方には、被検体に照明光を照射するためにＬＥＤなどの照明部が設けられているのが一般的である。
【０００３】
ここで、ＬＥＤを発光させると、そのＬＥＤが熱を発することから、ＬＥＤの変色や故障または観察画像への悪影響を防止するために、その熱を放熱する必要がある。そこで、挿入部と光学アダプタとを接触させて、その接触部分を介してＬＥＤからの熱を上記いずれか他方に伝えることにより、効果的に放熱することができる。
【特許文献１】特開２００５−２７８５１号公報
【発明の開示】
【発明が解決しようとする課題】
【０００４】
しかしながら、上記のような内視鏡装置では、螺合した雄ネジ部と雌ネジ部とを介して熱を伝えることはできるものの、挿入部の先端面と光学アダプタの後端面、及び挿入部の外周面と光学アダプタの内周面を、それぞれ隙間なく一様に、すなわち熱的に広く接触させるのは製造上困難であるため、光学アダプタと挿入部との間において効率よく熱を伝導させることができないという問題がある。仮に、挿入部と光学アダプタとの面同士を隙間なく接触させようとすると、極めて高精度な加工が必要になり、コストが増大してしまう。
【０００５】
本発明は、このような事情に鑑みてなされたものであって、照明部から発せられた熱を、容易かつ効果的に放熱することができる内視鏡装置を提供することを目的とする。
【課題を解決するための手段】
【０００６】
上記課題を解決するために、本発明は以下の手段を提供する。
本発明に係る内視鏡装置は、被検体に挿入される挿入部と、この挿入部に着脱可能に取り付けられる光学アダプタと、を備える内視鏡装置において、前記光学アダプタに設けられ、前記被検体に照明光を照射する照明部と、前記照明部に電力を供給するための挿入部側電極端子と前記挿入部側電極端子に接続されるアダプタ側電極端子とを囲うように、前記光学アダプタと前記挿入部のいずれか一方に設けられ、前記光学アダプタに前記挿入部の先端が取り付けられるときに、前記挿入部の先端によって加圧されて弾性変形し、前記光学アダプタ側の面および前記挿入部側の面を復元力により付勢する弾性部材と、を備えることを特徴とする。
【０００７】
この発明に係る内視鏡装置においては、光学アダプタを挿入部に取り付けると、それら光学アダプタと挿入部との間に弾性部材が配される。すなわち、弾性部材を介して、光学アダプタと挿入部とが接触する。そして、照明部から発せられた熱は、弾性部材を通って前記光学アダプタまたは前記挿入部へと伝導する。
以上より、コストを増大させることなく、光学アダプタを挿入部に取り付けたときに、それら光学アダプタと挿入部とを熱的に広く接触させることができる。
【０００８】
また、本発明に係る内視鏡装置は、請求項１に記載の内視鏡装置において、前記光学アダプタ側の面は、前記光学アダプタの内周面であり、前記挿入部側の面は、前記挿入部の先端の外周面であり、前記弾性部材が、前記光学アダプタの内周面に接し径方向に弾性変形する接触リングであって、前記挿入部の先端の外周面と前記接触リングの内周面とに、それぞれ先端径が漸次小さくなる傾斜部が設けられており、前記光学アダプタが前記挿入部に取り付けられると、前記挿入部の先端が前記接触リングに挿入されるようになっており、前記接触リングが弾性変形することにより前記傾斜部同士が密着することを特徴とする。
【０００９】
この発明に係る内視鏡装置においては、光学アダプタを挿入部に取り付けると、挿入部の先端部が接触リングに挿入される。このとき、接触リングの内径が、挿入部の外径よりも小さく設定されていることから、接触リングが挿入部の先端部によって径方向外方に弾性変形する。
これにより、接触リングの内周面と、挿入部の外周面とを熱的に広く接触させることができ、照明部から発せられた熱を効率よく伝導させることができる。
【００１１】
この発明に係る内視鏡装置においては、先端径が漸次小さくなる傾斜部が設けられていることから、挿入部の先端部を接触リングに挿入し易くすることができるだけでなく、挿入部や接触リングの製造誤差が吸収され、接触リングを介して光学アダプタと挿入部とを熱的に広く確実に接触させることができる。
【００１２】
また、本発明に係る内視鏡装置は、請求項１に記載の内視鏡装置において、前記弾性部材が、前記挿入部の先端部に設けられて前記先端部を覆う先端キャップであって、前記先端キャップの厚さ寸法が、前記光学アダプタと前記挿入部との間のギャップ寸法以上に設定されていることを特徴とする。
【００１３】
この発明に係る内視鏡装置においては、光学アダプタを挿入部に取り付けると、挿入部の先端部と光学アダプタとが、先端キャップを介して接触する。
これにより、光学アダプタと挿入部とを容易かつ確実に接触させることができる。
【００１４】
また、本発明に係る内視鏡装置は、請求項１に記載の内視鏡装置において、前記弾性部材が、前記挿入部の先端面または前記光学アダプタの後端面に設けられた端面接触部であって、前記端面接触部の厚さ寸法が、前記光学アダプタと前記挿入部との間のギャップ寸法以上に設定されていることを特徴とする。
【００１５】
この発明に係る内視鏡装置においては、光学アダプタを挿入部に取り付けると、挿入部の先端面と光学アダプタの後端面とが、端面接触部を介して接触する。
これにより、光学アダプタと挿入部とを容易かつ確実に接触させることができる。
【００１６】
また、本発明に係る内視鏡装置は、請求項１に記載の内視鏡装置において、前記弾性部材は、シリコン又は樹脂からなることを特徴とする。
【発明の効果】
【００２０】
本発明によれば、光学アダプタを挿入部に取り付けたときに、それら光学アダプタと挿入部とを熱的に広く接触させることができることから、照明部から発せられた熱を、容易かつ効果的に放熱することができる。
【発明を実施するための最良の形態】
【００２１】
（実施形態１）
以下、本発明の第１実施形態における内視鏡装置について、図面を参照して説明する。
図１は、本発明の第１の実施形態としての内視鏡装置１を示す外観斜視図であり、（ａ）は内視鏡本体をケース内に格納する前の状態、（ｂ）は内視鏡本体をケース内に格納した状態を示している。
【００２２】
この内視鏡装置１は、箱状に形成されたケース６と、このケース６に収納可能な内視鏡本体３とを備えている。
ケース６は、箱状の本体部９と、この本体部９に開閉可能に取り付けられた蓋部１０とを備えている。ケース６内には、クッション材等からなる収納部５が設けられており、この収納部５には、内視鏡本体３が収納される収納凹部５ａが形成されている。
このような構成のもと、収納凹部５ａに内視鏡本体３が収納されて蓋部１０が閉められることにより、内視鏡本体３は、ケース６とともに保管・搬送されるようになっている。なお、図中の符号６ａは口金、６ｂは取手を示したものである。
【００２３】
また、内視鏡本体３は、被検体に挿入される長尺状の挿入部２と、この挿入部２を巻回して収納するドラム部４とを主な構成要素としている。
ドラム部４は、例えばボビン形状とされ、挿入部２が巻回される円筒状の巻回部４ａの長さ方向の両端に円盤状のフランジ４ｂを取り付けた構成となっている。ドラム部４は、適所（たとえばフランジ４ｂ等）に配置されたＬＣＤモニタ（図示省略）等の画像表示手段を備えている。さらに、巻回部４ａの内部には、不図示の電源部が設けられている。また、このドラム部４には、挿入部２の湾曲操作を行うためのジョイスティック等を備えたリモートコントローラ（図示省略）が操作ケーブルを介して接続されている。
【００２４】
さらに、挿入部２の先端部の近傍には、湾曲可能な湾曲部１８が設けられている。湾曲部１８は、湾曲操作用として複数の流体圧アクチュエータを備えている。なお、湾曲操作用の作動流体には、例えば二酸化炭素、フロン、窒素、ヘリウム、アルゴン及び窒素等の不燃性ガスが使用される。また、挿入部２の先端部には、図２に示すように、先端硬質部８が設けられており、先端硬質部８の外周には、周方向の全周にわたって延びる雄ネジ部２０が設けられている。また、先端硬質部８には、撮像手段として例えばＣＣＤ２３が内蔵されている。このＣＣＤ２３は、挿入部２の内部空間を通る撮像ケーブル（不図示）を介して内視鏡本体３に接続され、図１に示すドラム部４内に設けられた電源部から電源の供給を受けるとともに、撮像した画像信号を送信している。なお、上記の観察手段はＣＣＤ２３に限定されるものではなく、Ｃ−ＭＯＳやイメージガイドファイバ等であってもよい。また、挿入部２の先端面（挿入部の先端面）７には、上記の電源部に電気的に接続された挿入部側電極端子２４が設けられている。
【００２５】
さらに、挿入部２の先端部には、観察画像を得るための光学アダプタ１４が着脱可能に取り付けられるようになっている。光学アダプタ１４は、略筒状のアダプタ本体部２８と、接続筒部（筒状部）２９とを備えており、これらアダプタ本体部２８と接続筒部２９とが互いに回転可能に連結されている。
アダプタ本体部２８は、ステンレスなどにより形成されており、その内部には、図３に示すように、略筒状のレンズ支持部３０が設けられている。レンズ筒部３０は、真鍮、銅またはアルミなどの熱伝導部材からなっており、大径部３３と小径部３４とが一体的に連結されて構成されている。大径部３３及び小径部３４の筒孔には、観察光学系３５が設けられている。
【００２６】
大径部３３の先端面には、ドーナツ形状のＬＥＤケース３７が設けられており、ＬＥＤケース３７上にはＬＥＤ基板３８が設けられている。これらＬＥＤケース３７及びＬＥＤ基板３８は、熱伝導部材からなっており、小径部３４の先端が挿入されることにより、アダプタ本体部２８内で支持されている。ＬＥＤ基板３８上には、周方向にＬＥＤ（照明部）２５が設けられている。また、大径部３３の後端面（光学アダプタの後端面）３９には、アダプタ側電極端子４０が設けられており、このアダプタ側電極端子４０は、ケーブル４２を介して、ＬＥＤ２５に電気的に接続されている。さらに、後端面３９には、後方に向けて突出する連結部４９が一体的に設けられており、この連結部４９に接続筒部２９が回転可能に取り付けられている。
【００２７】
接続筒部２９は、ステンレスなどにより形成されており、その内周面の後端部には、全周にわたって延びる第一雌ネジ部４３が形成されている。さらに、第一雌ネジ部４３から先端側に所定の間隔を空けて第二雌ネジ部４４が形成されている。
このような構成のもと、挿入部２の先端を光学アダプタ１４の後端に挿入し、接続筒部２９を回転させると、まず雄ネジ部２０と第一雌ネジ部４３とが螺合するようになっている。さらに接続筒部２９を回転させると、雄ネジ部２０は、第一雌ネジ部４３を乗り越えて、第二雌ネジ部４４に螺合し、これにより、光学アダプタ１４が挿入部２の先端に着脱可能に取り付けられるようになっている。すなわち、第一雌ネジ部４３は、光学アダプタ１４が挿入部２から脱落するのを防止するための抜け止めとして機能するものである。さらに、光学アダプタ１４が挿入部２の先端に取り付けられると、挿入部側電極端子２４とアダプタ側電極端子４０とが電気的に接続されて、ＬＥＤ２５に不図示の電源部から電源が供給されるようになっている。
【００２８】
さらに、本実施形態における光学アダプタ１４は、図２に示すように、略環状の接触リング４５を備えている。接触リング４５は、熱伝導性の良いエポキシ樹脂またはセラミックからなっており、その周壁部には、周壁部の一部が切り欠かれた切り欠き部４８が形成されている。そして、この切り欠き部４８が拡大・縮小することにより、接触リング４５は径方向に弾性変形するようになっている。また、接触リング４５の内径φ１は、挿入部２の先端の外径φ２よりも小さく設定されている。さらに、接触リング４５は、図３に示すように、連結部４９の内周面に形成された取り付け凹部５０に、アダプタ本体部２８及び接続筒部２９と同心上に取り付けられている。
このような構成のもと、光学アダプタ１４を挿入部２の先端に取り付けると、接触リング４５に挿入部２の先端が挿入されるようになっている。
【００２９】
次に、このように構成された本実施形態における内視鏡装置１の作用について説明する
まず、挿入部２の先端に光学アダプタ１４を取り付ける。すると、後述するように接触リング４５に挿入部２が挿入されるとともに、アダプタ側電極端子４０と挿入部側電極端子２４とが電気的に接続されて、ドラム部４内の電源部からＬＥＤ２５に電力が供給される。そして、挿入部２を被検体内に挿入して、ＬＥＤ２５から照明光を照射させる。このとき、被検体からの反射光が光学アダプタ１４に取り込まれる。この取り込まれた反射光は、観察光学系３５を介して、挿入部２内のＣＣＤ２３上において結像する。そして、ＣＣＤ２３からの出力信号が、不図示の信号ケーブルを介して、所定の回路に送られて、さらにＬＣＤモニタに供給される。これにより、ＬＣＤモニタに観察画像が映し出され、この観察画像を見ながら、被検体の所定の検査が行われる。
【００３０】
ここで、ＬＥＤ２５に電力を供給し、ＬＥＤ２５を駆動すると、それらＬＥＤ２５が熱を発することになる。この熱は、ＬＥＤ基板３８、ＬＥＤケース３７及び小径部３４などを通って、大径部３３まで伝導していく。そして、その熱は大径部３３の後端面３９から挿入部２の先端面７に伝導していき、さらに挿入部２の基端側に伝わって放熱される。このとき、後端面３９と先端面７とを熱的に広く接触させるのは困難であることから、後端面３９から先端面７への熱伝導効率は低く、従来では適正な放熱を行うことができなかった。本発明においては、以下のようにして大径部３３から挿入部２へと熱を伝えることができる。
【００３１】
まず、光学アダプタ１４を挿入部２に取り付けると、挿入部２の先端が接触リング４５に挿入される。このとき、接触リング４５の内径φ１は、挿入部２の先端の外径φ２よりも小さく設定されており、かつ接触リング４５が径方向に弾性変形するようになっていることから、挿入部２の先端が挿入されることにより、挿入部２の先端の外径φ２に応じて、接触リング４５が弾性変形して拡径する。この状態において、接触リング４５は、復元力により、縮径する方向に付勢されることから、接触リング４５の内周面と、挿入部２の先端部の外周面とが密着する。これにより、接触リング４５の内周面と、挿入部２の先端部の外周面とが、熱的に広く接触する。そのため、ＬＥＤ２５から大径部３３に伝わった熱は、接触リング４５を介して挿入部２へと効率よく伝わっていく。
【００３２】
以上より、本実施形態における内視鏡装置１によれば、光学アダプタ１４を挿入部２に取り付けたときに、接触リング４５を介して光学アダプタ１４と挿入部２とを熱的に広く接触させることができることから、ＬＥＤ２５からの熱を、コストを増大させることなく、容易かつ効果的に放熱することができる。
なお、本実施形態において、接触リング４５がエポキシ樹脂またはセラミックからなるとしたが、これに限ることはなく、シリコン、ウレタン等の樹脂などの弾性部材からなっていてもよい。
また、接触リング４５を設けるとしたが、これに代えて、シリコングリスなどを間に塗布する構造でもよい。
【００３３】
また、接触リング４５や挿入部２の先端部の形状について、適宜変更可能である。例えば、図４に示すように、挿入部２の先端部の外周面に、挿入部２の先端に向けて漸次径が小さくなるような挿入部側傾斜部（傾斜部）５３を設けることができる。さらに、接触リング４５の内周面にも、接触リング４５の先端（光学アダプタ１４の先端）に向けて漸次径が小さくなるようなリング側傾斜部（傾斜部）５４を設けることができる。これにより、挿入部２の先端部を接触リング４５に挿入し易くすることができるだけでなく、挿入部２や接触リング４５の製造誤差が吸収され、接触リング４５を介して光学アダプタ１４と挿入部２とを熱的に広く確実に接触させることができる。
【００３４】
（実施形態２）
次に、本発明の第２の実施形態について説明する。
図５から図７は、本発明の第２の実施形態を示したものである。
図５から図７において、図１から図４に記載の構成要素と同一部分については同一符号を付し、その説明を省略する。
この実施形態と上記第１の実施形態とは基本的構成は同一であり、ここでは異なる点についてのみ説明する。
【００３５】
本実施形態においては、挿入部２の先端に、樹脂などの弾性部材からなる先端キャップ５７が設けられている。先端キャップ５７は、有底円筒状に形成されており、その開口端５８に挿入部２が挿入されることにより、挿入部２の先端部を覆うようになっている。また、先端キャップ５７の底面部６４には、その中央に中央開口部５９が形成されており、中央開口部５９の近傍に円弧開口部６２が形成されている。中央開口部５９には、先端面７の中央突起部６３が挿通され、円弧開口部６２から挿入部側電極端子２４が露出している。さらに、先端キャップ５７の底面部６４の厚さ寸法は、光学アダプタ１４を挿入部２に取り付けたときの、挿入部２の先端面７と光学アダプタ１４の後端面３９との間のギャップ寸法よりも大きく設定されている。すなわち、先端キャップ５７の底面部６４は、加圧しない自然状態において、先端面７と後端面３９との間のギャップよりも厚くなっている。
【００３６】
このような構成のもと、接続筒部２９に挿入部２を挿入して、接続筒部２９を軸線周りに回転させると、雄ネジ部２０が、第一雌ネジ部４３を経て第二雌ネジ部４４と螺合する。この間、先端キャップ５７と、光学アダプタ１４の後端面３９とが接近していき、あるタイミングでそれら先端キャップ５７と後端面３９とが接触する。さらに接続筒部２９を同方向に回転させると、後端面３９と先端面７とに押圧されて、底面部６４が弾性変形して縮小する。この状態において、底面部６４は、復元力により、挿入部２の軸線方向に拡大する方向に付勢されることから、底面部６４と後端面３９とが密着し、さらに底面部６４と先端面７とが密着する。
【００３７】
以上より、本実施形態における内視鏡装置１によれば、先端キャップ５７を介して、後端面３９と先端面７とを電気的に広く接触させることができ、熱伝導効率を向上させることができる。
【００３８】
（参考例１）
次に、本発明に関する第１の参考例について説明する。
図８及び図９は、本発明に関する第１の参考例を示したものである。
本参考例においては、先端面７に、樹脂などの弾性部材からなる板状部（端面接触部）６７が設けられている。板状部６７は、円板状部材の周方向の一部が切り欠かれて形成されている。さらに、板状部６７の厚さ寸法は、光学アダプタ１４を挿入部２に取り付けたときの、後端面３９と先端面７との間のギャップ寸法よりも大きく設定されている。すなわち、板状部６７は、加圧しない自然状態において、後端面３９と先端面７との間のギャップよりも厚くなっている。
【００３９】
なお、挿入部２の先端部には、周方向の一部が切り欠かれた先端切欠き部６８が形成されており、この先端切欠き部６８に挿入部側電極端子２４が設けられている。また、光学アダプタ１４内のＬＥＤ基板３８は、光学アダプタ１４の後方に向けて、後端面３９から突出する位置まで延在しており、ＬＥＤ基板３８の突出した部分にアダプタ側電極端子４０が設けられている。
【００４０】
このような構成のもと、光学アダプタ１４を挿入部２に取り付けると、上記第２の実施形態と同様にして、後端面３９と先端面７とが、板状部６７を介して電気的に広く接触する。そのため、熱伝導効率を向上させることができる。
【００４１】
（実施形態３）
次に、本発明の第３の実施形態について説明する。
図１０および図１１は、本発明の第３の実施形態を示したものである。なお、上述の各実施形態および参考例に示したのと同様の構成要素には同一の符号を付し、重複する説明を省略する。
図１０に示すように、先端面７に、側面視して略鋸歯状に形成された挿入部側波打ち面７３を形成してもよい。この挿入部側波打ち面７３に円板状の板状部６７ａを設ける。さらに、後端面３９に、挿入部側波打ち面７３に噛み合わされるアダプタ側波打ち面７４を形成する。これにより、板状部６７ａを介して挿入部側波打ち面７３とアダプタ側波打ち面７４とを熱的により広く接触させることができ、熱伝導効率を向上させることができる。なお、図１１に示すように、板状部６７ｂの主面に挿入部側波打ち面７３を設けてもよい。
【００４２】
（参考例２）
次に、本発明に関する第２の参考例について説明する。
図１２及び図１３は、本発明に関する第２の参考例を示したものである。
この参考例においては、挿入部２の先端面７に弾性部材からなる接触バネ（端面接触部）７２が設けられている。接触バネ７２の厚さ寸法は、光学アダプタ１４を挿入部２に取り付けたときの、後端面３９と挿入部２の先端面との間のギャップ寸法よりも大きく設定されている。
なお、符号２４ａは挿入部側電極端子を示すものであり、接触バネ７２と同じものが用いられている。
【００４３】
以上より、本参考例における内視鏡装置１によれば、接触バネ７２を介して、後端面３９と挿入部２の先端面７とを電気的に広く接触させることができ、熱伝導効率を向上させることができる。
【００４４】
（参考例３）
次に、本発明に関する第３の参考例について説明する。
図１４および図１５は、本発明に関する第３の参考例を示したものである。
本参考例においては、先端硬質部８の外周面に形成された細径の取り付け部７８に、弾性部材からなるバルーン（周面接触部）７７が設けられている。先端硬質部８には、取り付け部７８と挿入部２内の空洞部８２とを連通する管路８３が形成されており、管路８３の基端口には、継手８４を介してチューブ８７が連結されている。チューブ８７は、水を供給する不図示の流体供給装置に連結されている。
【００４５】
このような構成のもと、光学アダプタ１４を挿入部２に取り付けると、バルーン７７と連結部４９の内周面（筒状部の内周面）とが対向して配された状態になる。この状態で、流体供給装置を駆動すると、流体供給装置から水が供給され、その水がチューブ８７及び管路８３を介してバルーン７７に供給される。すると、その水によりバルーン７７が加圧されて、バルーン７７が挿入部２の径方向外方に膨張する。すなわち、バルーン７７が連結部４９の内周面に向けて弾性変形する。そのため、連結部４９の内周面とバルーン７７とが密着する。そして、ＬＥＤ２５からの熱が、連結部４９からバルーン７７へと伝わり、その熱は、バルーン７７から管路７８及びチューブ８７内の水を通って、並びに先端硬質部８などを通って挿入部２の手元側に伝わっていく。
【００４６】
以上より、本参考例における内視鏡装置１によれば、バルーン７７を介して、光学アダプタ１４と挿入部２とを電気的に広く接触させることができ、熱伝導効率を向上させることができる。
なお、バルーン７７を挿入部２に設けるとしたが、これに限ることはなく、光学アダプタ１４側に設けてもよい。
また、流体供給装置から水を供給するとしたが、これに代えて、油などであってもよい。
【００４７】
（参考例４）
次に、本発明に関する第４の参考例について説明する。
図１６および図１７は、本発明に関する第４の参考例を示したものである。
本参考例においては、大径部３３に熱伝導部材からなる放熱棒８８が設けられている。すなわち、大径部３３に、後端面３９からＬＥＤ２５の近傍まで延びる取り付け孔９３が形成されており、この取り付け孔９３に放熱棒８８の一端が挿入されて固定されている。そして、放熱棒８８の他端側は、後端面３９から突出する突起部８８ａとなっている。
また、挿入部２の先端面７には、突起部８８ａが嵌合する孔部８９が形成されている。
孔部８９の内周面（内壁部）には、樹脂コーティングによる樹脂層（弾性部材）９２が設けられている。
【００４８】
このような構成のもと、光学アダプタ１４を挿入部２に取り付けると、突起部８８ａが孔部８９に嵌合する。このとき、突起部８８ａの外周面と樹脂層９２とが密着する。そのため、樹脂層９２を介して光学アダプタ１４と挿入部２とを電気的に広く接触させることができ、熱伝導効率を向上させることができる。
【００４９】
なお、本参考例において、放熱棒８８を設けるとしたが、その構成は適宜変更可能である。例えば、図１８に示すように、本体筒部９４の両端から接触棒９７が不図示のバネにより出没するような放熱路９８を設けるようにしてもよい。これにより、バネの付勢力によって、ＬＥＤケース３７と先端硬質部８とをより強く密着させることができる。
また、樹脂層９２を設けるとしたが、これに限ることはなく、突起部８８ａを弾性部材としてもよい。例えば、図１９に示すように、突起部８８ａに長さ方向に延びるスリット９９を設けて、突起部８８ａを径方向に弾性変形するように構成してもよい。この場合、突起部８８ａの外径を孔部８９の内径よりも大きく設定するとよい。さらに、突起部８８ａ及び孔部８９の内周面に上述のような傾斜部を設けてもよい。
【００５０】
さらに、突起部８８ａを４つ設けているが、これに限ることはなく、その設置数は適宜変更可能である。突起部８８ａの設置数を少なくすると、光学アダプタ１４を挿入部２に取り付けやすくすることができる。
また、光学アダプタ１４を直視用として構成しているが、これに限ることはなく、側視用であってもよい。
なお、本発明の技術範囲は上記の実施形態に限定されるものではなく、本発明の趣旨を逸脱しない範囲において、種々の変更を加えることが可能である。
【図面の簡単な説明】
【００５１】
【図１】本発明に係る内視鏡装置の第１の実施形態を示しており、（ａ）は内視鏡本体をケース内に格納する前の状態を示す分解斜視図、（ｂ）は内視鏡装置本体をケース内に格納した状態を示す斜視図である
【図２】図１の挿入部及び光学アダプタを拡大して示す分解斜視図である。
【図３】図１の光学アダプタを拡大して示す側断面図である。
【図４】図２の接触リング及び挿入部２の変形例を断面で示す説明図である。
【図５】本発明に係る内視鏡装置の第２の実施形態における光学アダプタ及び挿入部を示す分解斜視図である。
【図６】図５の先端キャップを後方から見た様子を示す斜視図である。
【図７】図５の光学アダプタ及び挿入部を示す側断面図である。
【図８】本発明に係る内視鏡装置に関する第１の参考例における光学アダプタ及び挿入部を示す分解斜視図である。
【図９】図８の光学アダプタ及び挿入部を示す側断面図である。
【図１０】本発明に係る内視鏡装置の第３の実施形態を示す分解斜視図である。
【図１１】図１０の板状部の変形例を示す斜視図である。
【図１２】本発明に係る内視鏡装置に関する第２の参考例における挿入部を示す斜視図である。
【図１３】図１２の挿入部を示す側断面図である。
【図１４】本発明に係る内視鏡装置に関する第３の参考例における光学アダプタ及び挿入部を示す斜視図である。
【図１５】図１４の光学アダプタ及び挿入部を示す側断面図である。
【図１６】本発明に係る内視鏡装置に関する第４の参考例における光学アダプタ及び挿入部を示す斜視図である。
【図１７】図１６の光学アダプタ及び挿入部を示す側断面図である。
【図１８】図１７の放熱棒の変形例を示す側断面図である。
【図１９】図１７の突起部の変形例を示す斜視図である。
【符号の説明】
【００５２】
１    内視鏡装置
２    挿入部
７    先端面（挿入部の先端面）
１４  光学アダプタ
２５  ＬＥＤ（照明部）
２９接続筒部（筒状部）
３９  後端面（光学アダプタの後端面）
４５  接触リング
５３  挿入部側傾斜部（傾斜部）
５４  リング側傾斜部（傾斜部）
５７  先端キャップ
６７  板状部（端面接触部）
７２  接触バネ（端面接触部）
７７  バルーン（周面接触部）
８８ａ  突起部
８９  孔部
φ１  接触リングの内径
φ２  挿入部の先端の外径
【図１】
0004783077.tif 000002
【図２】
0004783077.tif 000003
【図３】
0004783077.tif 000004
【図４】
0004783077.tif 000005
【図５】
0004783077.tif 000006
【図６】
0004783077.tif 000007
【図７】
0004783077.tif 000008
【図８】
0004783077.tif 000009
【図９】
0004783077.tif 000010
【図１０】
0004783077.tif 000011
【図１１】
0004783077.tif 000012
【図１２】
0004783077.tif 000013
【図１３】
0004783077.tif 000014
【図１４】
0004783077.tif 000015
【図１５】
0004783077.tif 000016
【図１６】
0004783077.tif 000017
【図１７】
0004783077.tif 000018
【図１８】
0004783077.tif 000019
【図１９】
0004783077.tif 000020